(57)【特許請求の範囲】
【請求項１】
衣服のベルト通しに挿通して腰部に巻回する腰ベルトであって、ベルト本体の一端部に該ベルト本体の他端部と連結するバックル部が設けられ、このバックル部の近傍位置にして前記ベルト本体の外面部には連結環が起伏自在に設けられ、更に、この連結環の倒伏状態を保持する連結環保持手段を有し、前記連結環保持手段は、前記ベルト本体の外面部に設けられ、重合部分と被重合部分とから成る帯状部材であり、この重合部分及び被重合部分には面ファスナーが設けられ、前記重合部分を前記連結環に挿通した状態で折り返し前記被重合部分の外面部に着脱自在に重合連結される構成であることを特徴とする腰ベルト。
【請求項２】
請求項１記載の腰ベルトにおいて、前記ベルト本体はナイロン製であることを特徴とする腰ベルト。
【請求項３】
請求項１，２いずれか１項に記載の腰ベルトにおいて、前記帯状部材はナイロン製であることを特徴とする腰ベルト。
【発明の詳細な説明】
【技術分野】
【０００１】
本発明は、腰ベルトに関するものである。
【背景技術】
【０００２】
従来から、例えば救助作業で使用する救助具として、例えば実用新案登録第３１５９８７３号のような救助具（通称ハーネス）が提案されている。
【０００３】
この従来例は、身体の肩部，胴部及び腿部夫々の部位に対して巻き付け装着する各巻き付け装着部を備えたハーネス本体部に連結環が設けられた構成であり、例えば壁面を昇降する場合、身体に装着した状態で連結環にロープを連結し、このロープで身体を吊り下げた状態で壁面を昇降する。
【先行技術文献】
【特許文献】
【０００４】
【特許文献１】実用新案登録第３１５９８７３号公報
【発明の概要】
【発明が解決しようとする課題】
【０００５】
ところで、従来例は、その構造上、普段身体に装着していると邪魔になるため、通常は、決められた場所に保管されているが、いざという緊急時に直ちに入手できない場合がある。
【０００６】
本発明は、前述した問題点を解消する、従来にない作用効果を発揮する画期的な腰ベルトを提供する。
【課題を解決するための手段】
【０００７】
添付図面を参照して本発明の要旨を説明する。
【０００８】
衣服20のベルト通し20ａに挿通して腰部に巻回する腰ベルトであって、ベルト本体１の一端部に該ベルト本体１の他端部と連結するバックル部３が設けられ、このバックル部３の近傍位置にして前記ベルト本体１の外面部には連結環２が起伏自在に設けられ、更に、この連結環２の倒伏状態を保持する連結環保持手段４を有し、前記連結環保持手段４は、前記ベルト本体１の外面部に設けられ、重合部分４ａと被重合部分４ｂとから成る帯状部材であり、この重合部分４ａ及び被重合部分４ｂには面ファスナーが設けられ、前記重合部分４ａを前記連結環２に挿通した状態で折り返し前記被重合部分４ｂの外面部に着脱自在に重合連結される構成であることを特徴とする腰ベルトに係るものである。
【０００９】
また、請求項１記載の腰ベルトにおいて、前記ベルト本体１はナイロン製であることを特徴とする腰ベルトに係るものである。
【００１０】
また、請求項１，２いずれか１項に記載の腰ベルトにおいて、前記帯状部材はナイロン製であることを特徴とする腰ベルトに係るものである。
【発明の効果】
【００１１】
本発明は上述のように構成したから、前述した従来例と異なり、普段から身に着けておくことができて緊急時に確実に対応することができ、しかも、普段は違和感なく邪魔にならない状態にできるなど、従来にない作用効果を発揮する画期的な腰ベルトとなる。
【図面の簡単な説明】
【００１２】
【図１】本実施例を示す斜視図である。
【図２】本実施例を示す斜視図である。
【図３】本実施例の要部の説明図である。
【図４】本実施例の使用状態説明図である。
【図５】本実施例の使用状態説明図である。
【発明を実施するための形態】
【００１３】
好適と考える本発明の実施形態を、図面に基づいて本発明の作用を示して簡単に説明する。
【００１４】
衣服20のベルト通し20ａに挿通して腰部に巻回する。普段、連結環２は連結環保持手段４により倒伏状態が保持されている。
【００１５】
従って、前述した従来例と異なり、普段から身に着けておくことができ、突起物が無いため邪魔とならない。
【００１６】
また、緊急時、例えば救助作業で壁面を昇降する場合、連結環保持手段４による保持を解除して連結環２を倒伏状態から起立状態とし、この起立状態で連結環２にロープを連結し、このロープで身体を吊り下げた状態で壁面を昇降する。
【００１７】
従って、緊急時に確実に対応できる。
【実施例】
【００１８】
本発明の具体的な実施例について図面に基づいて説明する。
【００１９】
本実施例は、衣服20のベルト通し20ａに挿通して腰部に巻回する腰ベルトであって、ベルト本体１の外面部には連結環２が起伏自在に設けられ、この連結環２の倒伏状態を保持する連結環保持手段４が設けられている。尚、本実施例では衣服20として腰回りにベルト通し20ａが複数設けられるズボンを採用したが、つなぎ型の衣服であったり、その他スカートでも良い。
【００２０】
以下、本実施例に係る構成各部について詳細な説明をする。
【００２１】
ベルト本体１は、図１，２に図示したように適宜な合成樹脂製の部材（ナイロン）で形成した帯状体であり、ベルト通し20ａに挿通し得る巾に設定されている。
【００２２】
また、ベルト本体１の外面部には面ファスナー部６が設けられ、この面ファスナー部６を介して、ベルト本体１のバックル部３に挿通した状態で折り返した際の折り返し部が当該ベルト本体１の外面部に重合状態に着脱自在に連結される。
【００２３】
具体的には、この面ファスナー部６は、図２に図示したようにベルト本体１の外面に設けられた互いに係合可能なフック係合素子６ａ及びループ係合素子６ｂから成り、フック係合素子６ａはベルト本体１の先端部側の所定部位に設けられ、一方、ループ係合素子６ｂはフック係合素子６ａと間隔を介した所定位置から基端部側の所定位置までの部位に設けられている。
【００２４】
従って、ベルト本体１の先端部を後述するバックル部３に挿通した後に折り返して重合させることで、フック係合素子６ａはループ係合素子６ｂに係合連結される。
【００２５】
このベルト本体１の一端部（基端部）には、このベルト本体１の他端部（先端部）と連結するバックル部３が設けられている。
【００２６】
バックル部３は、図１，２に図示したように適宜な金属製の部材で形成した方形環状体であり、左右対向位置の縦材３ａのうち一方にはベルト本体１の他端部（基端部）が巻き付け連結され、上下対向位置の横材３ｂ同士間には環孔を左右に仕切る仕切り部材３ｃがスライド自在に架設状態に設けられている。
【００２７】
従って、ベルト本体１の先端部をバックル部３の内側から配して一方の環孔に挿通し、続いて、折り返して仕切り部材３ｃに巻き付けるようにバックル部３の外側から他方の環孔に挿通して引くとベルト本体１は連結される。
【００２８】
また、ベルト本体１のバックル部３の近傍位置に連結環２が起伏自在に設けられている。
【００２９】
この連結環２は、図１〜５に図示したように適宜な金属製の部材で形成したＤ字状環体であり、バックル部３に巻き付け連結するベルト本体１の他端部を挿通して折り返した部位を縫製することでベルト本体１に連結されている。
【００３０】
また、この連結環２の倒伏状態を保持する連結環保持手段４が設けられている。
【００３１】
連結環保持手段４は、図２，３に図示したように連結環保持手段４は、ベルト本体１の外面部に設けられ、重合部分４ａと被重合部分４ｂとから成る合成樹脂製（ナイロン製）の帯状部材であり、この帯状部材の重合部分４ａを連結環２に挿通した状態で折り返し被重合部分４ｂの外面部（若しくはベルト本体１の外面部）に、面ファスナー部５を介して着脱自在に連結される構成である。
【００３２】
具体的には、この面ファスナー部５は、図３に図示したように帯状部材の外面部に設けられた互いに係合可能なフック係合素子５ａ及びループ係合素子５ｂから成り、フック係合素子５ａは帯状部材の先端部側の所定部位に設けられ、一方、ループ係合素子５ｂはフック係合素子５ａと間隔を介した所定位置から基端部側の部位に設けられている。
【００３３】
従って、連結環保持手段４は、先端部を連結環２に挿通した後に折り返して重合させることで、フック係合素子５ａはループ係合素子５ｂに係合連結される。
【００３４】
本実施例は上述のように構成したから、衣服20のベルト通し20ａに挿通して腰部に巻回する。普段、連結環２は連結環保持手段４により倒伏状態が保持されている。
【００３５】
つまり、普段から身に着けておくことができ、突起物が無いため邪魔とならない。
【００３６】
また、緊急時、例えば救助作業で壁面を昇降する場合、連結環保持手段４による保持を解除して連結環２を倒伏状態から起立状態とし、この起立状態で連結環２にロープ21を連結し、このロープ21で身体を吊り下げた状態で壁面を昇降する（図４，５参照）。
【００３７】
よって、本実施例によれば、普段から身に着けておくことができて緊急時に確実に対応することができ、しかも、普段は違和感なく邪魔にならない状態にできる。
【００３８】
また、本実施例の連結環保持手段４は、ベルト本体１の外面部に設けられ、重合部分４ａと被重合部分４ｂとから成る帯状部材であり、この帯状部材の重合部分４ａを連結環２に挿通した状態で折り返し被重合部分４ｂの外面部（若しくはベルト本体１の外面部）に、面ファスナー部５を介して着脱自在に連結される構成であるから、簡易構造で確実に連結環２の倒伏状態を保持することができ、しかも、迅速に保持状態を解除することができ、緊急時に良好に対応することができる。
【００３９】
また、本実施例は、ベルト本体１の一端部に設けられ、このベルト本体１の他端部と連結するバックル部３の近傍位置に連結環２が設けられているから、ベルト本体１の強度のある部位に設けることで連結環２としての機能を良好に発揮することになる。
【００４０】
尚、本発明は、本実施例に限られるものではなく、各構成要件の具体的構成は適宜設計し得るものである。
【符号の説明】
【００４１】
１  ベルト本体
２  連結環
３ バックル部
４  連結環保持手段
４ａ  重合部分
４ｂ  被重合部分
20  衣服
20ａ  ベルト通し
【図１】
0006637782.tif 000002
【図２】
0006637782.tif 000003
【図３】
0006637782.tif 000004
【図４】
0006637782.tif 000005
【図５】
0006637782.tif 000006